(57)【要約】【課題】夜間や停電時等にキャビネットの扉を開けた際キャビネットの内部が見にくいときに、ガス元栓を照らすことでガス元栓を確認でき、安全かつ確実にガス元栓を閉めることができるキッチンユニットを提供する。【解決手段】調理機器１を備えたキャビネット２を有し、キャビネット２の前面に開閉自在の前面板３と、キャビネット２の内部に上記調理機器１へガスを供給するガス元栓４とを備えるキッチンユニット５において、上記キャビネット５には、その内部に上記ガス元栓４を照らす発光部６と、発光部６に電力を供給する電源部７と、上記前面板３の開閉状態を検知する開閉検知部８とが設置され、開閉検知部８が前面板３の開状態を検知することで、発光部６が電源部７から電力の供給を受けて点灯し、開閉検知部８が前面板３の閉状態を検知することで、発光部６が上記電力の供給を遮断されて消灯するようになした。【選択図】図１
2009100855.tif 000002
【特許請求の範囲】
【請求項１】
調理機器を備えたキャビネットを有し、キャビネットの前面に開閉自在の前面板と、キャビネットの内部に上記調理機器へガスを供給するガス元栓とを備えるキッチンユニットにおいて、上記キャビネットには、その内部に上記ガス元栓を照らす発光部と、発光部に電力を供給する電源部と、上記前面板の開閉状態を検知する開閉検知部とが設置され、開閉検知部が前面板の開状態を検知することで、発光部が電源部から電力の供給を受けて点灯し、開閉検知部が前面板の閉状態を検知することで、発光部が上記電力の供給を遮断されて消灯することを特徴とするキッチンユニット。
【請求項２】
上記電源部が、乾電池または蓄電池で構成されることを特徴とする請求項１記載のキッチンユニット。
【請求項３】
上記電源部が、交流電源によって蓄電される蓄電池で構成され、かつ停電検知機能を有するものであって、蓄電池が交流電源によって常時蓄電され、停電検知機能により停電が検知されることで、停電時において前面板を開けた際にのみ蓄電池から電流が流れ発光部が点灯することを特徴とする請求項１記載キッチンユニット。
【発明の詳細な説明】
【技術分野】
【０００１】
本願発明は、調理機器を備えたキャビネットを有し、キャビネットの前面に開閉自在の前面板と、キャビネットの内部に上記調理機器へガスを供給するガス元栓とを備えるキッチンユニットに関するものである。
【背景技術】
【０００２】
従来から、ガス元栓を見やすくするものとして、実開平０８−０００５５２号公報に示されるように、ガス元栓にリングを環装しかつガス元栓基部にスイッチ部を挟着し、前記スイッチ部を表示部とコードにより接続したガス元栓自動表示器が知られている。このガス元栓自動表示器は、ガス元栓の開閉に伴い、表示部においてＬＥＤとアラームによる自動表示が行われる。これによって、ガス元栓が開状態にあるか閉状態にあるか一目で分かるようになっている。しかし、このようなガス元栓自動表示器においては、ガス元栓の開閉状態を利用者に知らしめる効果を有するに留まり、暗いときにはガス元栓の位置を知ることまではできないため不便であった。
【０００３】
この問題点を解決するものとして、登実登−３０１１９２３号公報に示されるように、ガス元栓の一部を夜光にしたものが知られている。この夜光式のガス元栓は、退室口や照明スイッチの位置から見えるガス元栓の部分を夜光にしたものであり、部屋を暗くして退室した際に、夜光部分が光ることでガス元栓の閉め忘れに気付くことができるものである。
【特許文献１】実開平０８−０００５５２号公報
【特許文献２】登実登−３０１１９２３号公報
【発明の開示】
【発明が解決しようとする課題】
【０００４】
しかしながら、上記従来例（登実登−３０１１９２３号公報）である夜光式のガス元栓にあっては、ガス元栓自身が光るものであり、部屋を暗くした際にガス元栓の開閉状態およびその存在位置を知ることはできるものの、ガス元栓付近を照らすものではないため、見にくく不便であった。また、ガス元栓がキャビネットの内部に設置されている場合においては、退室口や照明スイッチの位置から見えないため、意味をなさないものであった。
【０００５】
本願発明は、上記背景技術の問題点に鑑みてなしたものであり、その目的は、夜間や停電時等にキャビネットの扉を開けた際キャビネットの内部が見にくいときに、ガス元栓を照らすことでガス元栓を確認でき、安全かつ確実にガス元栓を閉めることができるキッチンユニットを提供することである。
【課題を解決するための手段】
【０００６】
上記課題を解決するために、本願請求項１記載の発明は、調理機器を備えたキャビネットを有し、キャビネットの前面に開閉自在の前面板と、キャビネットの内部に上記調理機器へガスを供給するガス元栓とを備えるキッチンユニットにおいて、上記キャビネットには、その内部に上記ガス元栓を照らす発光部と、発光部に電力を供給する電源部と、上記前面板の開閉状態を検知する開閉検知部とが設置され、開閉検知部が前面板の開状態を検知することで、発光部が電源部から電力の供給を受けて点灯し、開閉検知部が前面板の閉状態を検知することで、発光部が上記電力の供給を遮断されて消灯することを特徴とするものである。
【０００７】
また、本願請求項２記載の発明は、請求項１記載の発明において、上記電源部が、乾電池または蓄電池で構成されることを特徴とするものである。
【０００８】
さらに、本願請求項３記載の発明は、請求項１記載の発明において、上記電源部が、交流電源によって蓄電される蓄電池で構成され、かつ停電検知機能を有するものであって、蓄電池が交流電源によって常時蓄電され、停電検知機能により停電が検知されることで、停電時において前面板を開けた際にのみ蓄電池から電流が流れ発光部が点灯することを特徴とする上記電源部が、交流電源によって蓄電される蓄電池で構成され、かつ停電検知機能を有するものであって、蓄電池が交流電源によって常時蓄電され、停電検知機能により停電が検知されることで、停電時において前面板を開けた際にのみ蓄電池から電流が流れ発光部が点灯することを特徴とするものである。
【発明の効果】
【０００９】
本願請求項１記載の発明のキッチンユニットにおいては、開閉検知部が前面板の開閉状態を検知し、前面板の開状態を検知した際に発光部が電源部から電力の供給を受けて点灯することで、夜間や停電等により室内が暗いときであってもガス元栓の開閉状態および存在位置を確認したり、開いているガス元栓を安全かつ確実に閉めたりすることができる。一方、開閉検知部が前面板の閉状態を検知した際に発光部が上記電力の供給を遮断されて消灯することで、電力の消費を抑えることができる。
【００１０】
本願請求項２記載の発明のキッチンユニットにおいては、上記電源部が乾電池または蓄電池で構成されているため、地震等による停電によって交流電源が遮断された場合においても使用可能である。
【００１１】
本願請求項３記載の発明のキッチンユニットにおいては、上記電源部が交流電源によって蓄電される蓄電池で構成されるため、地震等による停電によって交流電源が遮断された場合においても、ガス元栓の開閉状態および存在位置を確認したり、開いているガス元栓を安全かつ確実に閉めたりすることができる。しかも、上記電源部が停電検知機能を有しており、停電を検知することができるため、上記開閉検知部および上記停電検知機能により、停電を検知しかつ前面板を開けた際にのみ発光部が電源部から電力の供給を受けて点灯し、ガス元栓を照らすことができて、省エネにもつながる。
【発明を実施するための最良の形態】
【００１２】
以下、本願発明を添付図面図１および図２に示す第一の実施形態に基づいて説明する。
【００１３】
このキッチンユニット５は、調理機器１を備えたキャビネット２を有し、キャビネット２の前面に開閉自在の前面板３と、キャビネット２の内部に上記調理機器１へガスを供給するガス元栓４とを備えるキッチンユニット５において、上記キャビネット５には、その内部に上記ガス元栓４を照らす発光部６と、発光部６に電力を供給する電源部７と、上記前面板３の開閉状態を検知する開閉検知部８とが設置され、開閉検知部８が前面板３の開状態を検知することで、発光部６が電源部７から電力の供給を受けて点灯し、開閉検知部８が前面板３の閉状態を検知することで、発光部６が上記電力の供給を遮断されて消灯することを特徴とするものである。
【００１４】
さらに、このキッチンユニット５は、上記電源部７が、交流電源１０によって蓄電される蓄電池９で構成され、かつ停電検知機能を有するものであって、蓄電池９が交流電源１０によって常時蓄電され、停電検知機能により停電が検知されることで、停電時において前面板３を開けた際にのみ蓄電池９から電流が流れ発光部６が点灯することを特徴とするものである。
【００１５】
以下、この第一の実施形態のキッチンユニットについて詳述する。
【００１６】
このキッチンユニット５は、キッチンに設置されるものであり、キャビネット２を有している。キャビネット２は、上部にガスコンロである調理機器１を備え、前面には扉となる前面板３が設けられる。キャビネット２の内部にはガス元栓４が備え付けられており、上記調理機器１へガスを供給する。また、キャビネット２の内部の空間は、調味料や調理器具のような台所用品を収納するスペースとして利用できる。
【００１７】
キャビネット２の内部の上部背方には電源部７が設置される。この電源部７は、蓄電池９で構成されており、キャビネット２の背面において壁等に設けられる交流電源１０と接続される。これによって、蓄電池９は交流電源１０により電力の供給を受けて常時蓄電される。また、電源部７は停電検知機能を有しており、雷や地震等によって停電を検知した際にのみ、発光部６に対して電力を供給し得る状態となり、後記のように前面板３を開けたときに発光部６に対して電力を供給する。また、これによって、後記のように前面板３の開状態が検知された場合であっても、停電が検知されない限り点灯しない。
【００１８】
上記電源部７の下端から下方に向かって支持棒１１が延設され、上記支持棒１１の下端には電球やＬＥＤで構成される発光部６が取り付けられる。この発光部６は、ガス元栓４付近に設けられ、ガス元栓４と同じ高さか少し上方に位置している。また、発光部６は、支持棒１１を介して電源部７と電気的に接続されており、電源部７から電力の供給を受けて点灯し、ガス元栓４を照らす。
【００１９】
キャビネット２の内部の上部前方には開閉検知部８が設けられ、上記電源部７と電気的に接続されている。この開閉検知部８はリミットスイッチでなり、上記前面板３の開閉状態を検知する。開閉検知部８が前面板３の開状態を検知した際には、リミットスイッチがＯＮ（閉）となり、電源部７が発光部６に対して電力を供給し、発光部６が点灯する。また、開閉検知部８が前面板３の閉状態を検知した際には、リミットスイッチがＯＦＦ（開）となり、電源部７から発光部６への電力の供給が遮断され、発光部６が消灯する。
【００２０】
したがって、この実施形態のキッチンユニット５においては、開閉検知部８が前面板３の開閉状態を検知し、前面板３の開状態を検知した際に発光部６が電源部７から電力の供給を受けて点灯することで、夜間や停電等により室内が暗いときであってもガス元栓４の開閉状態および存在位置を確認したり、開いているガス元栓４を安全かつ確実に閉めたりすることができる。一方、開閉検知部８が前面板３の閉状態を検知した際に発光部６が上記電力の供給を遮断されて消灯することで、電力の消費を抑えることができる。
【００２１】
また、上記電源部７が蓄電池９で構成されているため、地震等による停電によって交流電源１０が遮断された場合においても使用可能である。
【００２２】
さらに、上記電源部７は停電検知機能を有しており、停電を検知することができる。停電時以外の場合においては、室内の照明や太陽光によって室内全体を明るくすることが可能であるため、前面板３を開けてキャビネット２の内部に保管されている調味料や調理器具等の出し入れといった作業をする場合であっても、上記室内の明るさで十分手元を明るくすることができ、照明器具による照射は必要ない。そこで、上記により電源部７の停電検知機能が停電を検知し、かつ開閉検知部８が前面板３の開状態を検知した際にのみ発光部６が電源部７から電力の供給を受けて点灯し、ガス元栓４を照らすことができるため、省エネにもつなげることができる。
【００２３】
以下、第二の実施形態のキッチンユニット５について、添付図面図３を参照しながら説明する。
【００２４】
ここでは、上記第一の実施形態と相違する事項についてのみ説明し、その他の事項（構成、作用効果等）については、上記第一の実施形態と同様であるのでその説明を省略する。
【００２５】
この実施形態のキッチンユニット５は、上記第一の実施形態のうちの電源部７を乾電池としたものであり、この電源部７には交流電源１１が接続されていない。また、この電源部７は、停電検知機能を有していない。
【００２６】
したがって、第二の実施形態のキッチンユニット５においては、開閉検知部８が前面板３の開閉状態を検知し、前面板３の開状態を検知した際に発光部６が電源部７から電力の供給を受けて点灯することで、夜間や停電等により室内が暗いときであってもガス元栓４の開閉状態および存在位置を確認したり、開いているガス元栓を安全かつ確実に閉めたりすることができる。この発光部６の点灯により、ガス元栓だけでなく周辺部をも明るく照らすので、キャビネットの内部を見やすくし、保管されている調味料や調理器具の出し入れ等の作業効率を良くすることができる。一方、開閉検知部８が前面板３の閉状態を検知した際に発光部６が上記電力の供給を遮断されて消灯することで、電力の消費を抑えることができる。
【００２７】
また、上記電源部７が乾電池で構成されているため、地震等による停電によって交流電源１０が遮断された場合においても使用可能である。
【００２８】
なお、本願発明にあっては、この第二の実施形態における乾電池を交流電源１０によって蓄電される蓄電池９としても良い。
【００２９】
また、上記２つの実施形態において、前面板３は扉であったが、引出しの前面板３としても良い。
【００３０】
また、上記２つの実施形態において、開閉検知部８はリミットスイッチであったが、赤外線センサ等リミットスイッチ以外のものであっても良い。
【図面の簡単な説明】
【００３１】
【図１】本願発明の第一の実施形態であるキッチンユニットの取り付け状態を示す断面斜視図である。
【図２】同上のキッチンユニットの内部に取り付けられる発光部、電源部、交流電源および開閉検知部を表す回路図である。
【図３】本願発明の第二の実施形態であるキッチンユニットの内部に取り付けられる発光部、電源部および開閉検知部の基本システムを表す回路図である。
【符号の説明】
【００３２】
１  調理機器
２  キャビネット
３  前面板
４  ガス元栓
５  キッチンユニット
６  発光部
７  電源部
８  開閉検知部
９  蓄電池
１０  交流電源
【図１】
2009100855.tif 000003
【図２】
2009100855.tif 000004
【図３】
2009100855.tif 000005